(57)【要約】【課題】安価な構成で、成形品の厚さ調節のための操作性が向上した射出成形機の型締装置を提供する。【解決手段】型締装置１は、固定盤６と、型締ハウジング８と、固定盤６と型締ハウジング８との間に設置されている複数本のタイバー２Ａ〜２Ｄと、固定盤６に対してタイバー２Ａ〜２Ｄに沿って移動可能な可動盤７とを有する。複数のタイバー２Ａ〜２Ｄの各々には、タイバーを加熱するヒータ３Ａ〜３Ｄと、タイバーのヒータ３Ａ〜３Ｄによって加熱された部分の温度を検知するセンサー４Ａ〜４Ｄとが設けられている。型締装置１は、ヒータ３Ａ〜３Ｄおよびセンサー４Ａ〜４Ｄが接続され、タイバーの上記部分の温度を制御する温調計５を備えている。温調計５は、射出成形機２０及び型締装置１を制御するコントローラ１３に接続され、かつ射出成形機２０及び型締装置１の少なくとも一方を支持するベッド３０内に収容されている。【選択図】図１
2009154454.tif 000002
【特許請求の範囲】
【請求項１】
固定側金型（６ａ）が取り付けられる固定盤（６）と、型締ハウジング（８）と、前記固定盤（６）と前記型締ハウジング（８）との間に設置されている複数本のタイバー（２Ａ，２Ｂ，２Ｃ，２Ｄ）と、可動側金型（７ａ）が取り付けられ、前記固定盤（６）に対して前記タイバー（２Ａ，２Ｂ，２Ｃ，２Ｄ）に沿って移動可能な可動盤（７）と、を有する射出成形機（２０）の型締装置（１）において、
前記タイバーを加熱するヒータ（３Ａ，３Ｂ，３Ｃ，３Ｄ）と、前記タイバーの前記ヒータ（３Ａ，３Ｂ，３Ｃ，３Ｄ）によって加熱された部分の温度を検知するセンサー（４Ａ，４Ｂ，４Ｃ，４Ｄ）とが、前記複数のタイバー（２Ａ，２Ｂ，２Ｃ，２Ｄ）の各々に設けられており、
前記ヒータ（３Ａ，３Ｂ，３Ｃ，３Ｄ）および前記センサー（４Ａ，４Ｂ，４Ｃ，４Ｄ）が接続され、前記タイバーの前記部分の温度を制御する温調計（５）を備え、該温調計（５）は、前記射出成形機（２０）及び前記型締装置（１）を制御するコントローラ（１３）に接続され、かつ前記射出成形機（２０）及び前記型締装置（１）の少なくとも一方を支持するベッド（３０）内に収容されていることを特徴とする、射出成形機の型締装置。
【請求項２】
前記各タイバーの前記部分の温度設定が前記コントローラ（１３）によって行われる、請求項１に記載の射出成形機の型締装置。
【請求項３】
前記コントローラ（１３）は表示パネルを備えており、
前記コントローラ（１３）は、前記複数のタイバー（２Ａ，２Ｂ，２Ｃ，２Ｄ）の各々の前記部分の温度設定を行うための温度設定画面（９）を前記表示パネルに表示し、前記温度設定画面（９）において設定された設定温度に従って各々の前記ヒータ（３Ａ，３Ｂ，３Ｃ，３Ｄ）の温度を制御するように構成されている、請求項２に記載の射出成形機の型締装置。
【請求項４】
前記金型（６ａ，７ａ）内で成形する成形品の、各々の前記タイバー（２Ａ，２Ｂ，２Ｃ，２Ｄ）の近傍領域における厚み変化量が前記コントローラ（１３）によって設定される、請求項１に記載の射出成形機の型締装置。
【請求項５】
前記コントローラ（１３）は、表示パネルを備えているとともに、前記成形品の厚み変化量と前記タイバーの温度変化量との関係式を記憶しており、
前記コントローラ（１３）は、前記成形品の各々の前記タイバー（２Ａ，２Ｂ，２Ｃ，２Ｄ）の近傍領域における厚みの設定を行うための厚み設定画面（１０）を前記表示パネルに表示し、前記厚み設定画面（１０）において設定された厚み変化量に対応する前記タイバーの温度変化量を前記関係式に基づいて演算し、該演算によって得られた前記タイバーの温度変化量に従って各々の前記ヒータ（３Ａ，３Ｂ，３Ｃ，３Ｄ）の温度を制御するように構成されている、請求項４に記載の射出成形機の型締装置。
【発明の詳細な説明】
【技術分野】
【０００１】
本発明は、射出成形機の型締装置に関するものである。
【背景技術】
【０００２】
図５は特許文献１に開示された従来の射出成形機の型締装置を示す概略構成図であり、図５（ａ）はその正面図、図５（ｂ）は図５（ａ）のＡ−Ａ線に沿った断面図である。
【０００３】
図５に示す従来の型締装置１０１は、固定側金型が取り付けられる固定盤１０６と、可動側金型が取り付けられ、固定盤１０６に対して移動可能な可動盤１０７と、可動盤１０７にトグルリンク式または直圧式の押圧機構１１１を介して連結された型締ハウジング１０８とを有している。固定盤１０６と型締ハウジング１０８との間には４本のタイバー１０２Ａ〜１０２Ｄが設けられており、可動盤１０７はそれらのタイバーに沿って移動可能になっている。各タイバー１０２Ａ〜１０２Ｄの両端部には雄ねじが形成されており、それらの固定盤１０６側の雄ねじにはタイバーナット１１０がねじ込まれ、型締ハウジング１０８側の雄ねじには型厚調節装置１０９に形成された雌ねじがねじ込まれている。
【０００４】
型締装置１０１は、４本のタイバー１０２Ａ〜１０２Ｄのそれぞれに、タイバーの所定の長さ領域を加熱するヒータ１０３Ａ〜１０３Ｄと、その加熱領域の温度を検知するセンサー１０４Ａ〜１０４Ｄとが備えられている。それらのヒータ１０３Ａ〜１０３Ｄおよびセンサー１０４Ａ〜１０４Ｄは、タイバーの加熱領域の温度を制御する温調計１０５に接続されている。これらの構成によって、各々のタイバーの加熱領域の温度を個別に調節することが可能になっている。その結果、タイバー１０２Ａ〜１０２Ｄは、加熱領域の温度に応じた熱膨張によって自身の有効長が変化する。このようにしてタイバー１０２Ａ〜１０２Ｄの有効長を個別に調節することにより、型閉め動作を行って型締力を発生させたときの各タイバー１０２Ａ〜１０２Ｄの伸び量のバランス、引いては金型１０６ａ，１０７ａに作用する型締力のバランスを調整することが可能である。
【特許文献１】特開２００６−３４７０７８号公報
【発明の開示】
【発明が解決しようとする課題】
【０００５】
しかしながら、上述した従来の射出成形機の型締装置は温調計が別体として備えられているので、以下のような不都合な点を含んでいる。
（１）温調計のための設置場所を確保しなくてはならない。
（２）通常の成形条件設定は射出成形機のコントローラで行うが、タイバー有効長の調節は別の温調計の設定パネルで行わなくてはならず、操作が煩雑である。
（３）温調計が射出成形機の制御系と切り離された別装置として設けられているので、装置が高価となる。
（４）温度設定条件を、その他の成形条件と一緒に射出成形機に記憶させることができない。
（５）温度異常等が発生したことを示すアラームや設定変更の履歴についても同様に、射出成形機に記憶させることができない。
（６）温度異常などが発生した場合に、射出成形機の動作を停止するなどの対応ができない。また、そのような事態が生じたことの履歴を射出成形機に残すことができない。
【０００６】
そこで本発明は、安価な構成で、成形品の厚さ調節のための操作性が向上した射出成形機の型締装置を提供することを目的とする。
【課題を解決するための手段】
【０００７】
上記目的を達成するため、本発明の射出成形機の型締装置は、固定側金型が取り付けられる固定盤と、型締ハウジングと、前記固定盤と前記型締ハウジングとの間に設置されている複数本のタイバーと、可動側金型が取り付けられ、前記固定盤に対して前記タイバーに沿って移動可能な可動盤と、を有する射出成形機の型締装置において、前記タイバーを加熱するヒータと、前記タイバーの前記ヒータによって加熱された部分の温度を検知するセンサーとが、前記複数のタイバーの各々に設けられており、前記ヒータおよび前記センサーが接続され、前記タイバーの前記部分の温度を制御する温調計を備え、該温調計は、前記射出成形機及び前記型締装置を制御するコントローラに接続され、かつ前記射出成形機及び前記型締装置の少なくとも一方を支持するベッド内に収容されていることを特徴とする。
【０００８】
上記本発明の射出成形機の型締装置によれば、温調計が射出成形機及び型締装置のコントローラに接続されているので、通常の成形条件設定とタイバー有効長の調節との両方をコントローラによって行うことが可能である。そのため、各種の条件設定を行うための操作性が向上している。また、温調計が射出成形機の制御系と組み合わせられているため、温調計を射出成形機の制御系とは別装置として設けた場合に比べて装置を安価に構成することができる。また、温調計は射出成形機や型締装置を支持するベッド内に収容されているので、温調計のための設置場所を別途に確保する必要がない。
【０００９】
さらに、前記各タイバーの前記部分の温度設定が前記コントローラによって行われる構成としてもよい。この場合は、前記コントローラは表示パネルを備えており、前記コントローラは、前記複数のタイバーの各々の前記部分の温度設定を行うための温度設定画面を前記表示パネルに表示し、前記温度設定画面において設定された設定温度に従って各々の前記ヒータの温度を制御するように構成されていることが好ましい。
【００１０】
また、前記金型内で成形する成形品の、各々の前記タイバーの近傍領域における厚み変化量が前記コントローラによって設定される構成としてもよい。この場合は、前記コントローラは、表示パネルを備えているとともに、前記成形品の厚み変化量と前記タイバーの温度変化量との関係式を記憶しており、前記コントローラは、前記成形品の各々の前記タイバーの近傍領域における厚みの設定を行うための厚み設定画面を前記表示パネルに表示し、前記厚み設定画面において設定された厚み変化量に対応する前記タイバーの温度変化量を前記関係式に基づいて演算し、該演算によって得られた前記タイバーの温度変化量に従って各々の前記ヒータの温度を制御するように構成されていることが好ましい。
【発明の効果】
【００１１】
本発明によれば、安価な構成で、成形品の厚さ調節のための操作性が向上した射出成形機の型締装置を提供することができる。
【発明を実施するための最良の形態】
【００１２】
次に、本発明の実施形態について図面を参照して説明する。
【００１３】
［第１の実施形態］
図１は本発明の第１の実施形態に係る型締装置を示す概略構成図であり、図１（ａ）はその正面図、図１（ｂ）は図１（ａ）のＡ−Ａ線に沿った断面図である。
【００１４】
本発明の第１の実施形態に係る型締装置１も、図５に示した型締装置と同様に、固定側金型６ａが取り付けられる固定盤６と、可動側金型７ａが取り付けられ、固定盤６に対して移動可能な可動盤７と、可動盤７にトグルリンク式または直圧式の押圧機構１１を介して連結された型締ハウジング８とを有している。固定盤６と型締ハウジング８との間には４本のタイバー２Ａ〜２Ｄが設けられており、可動盤７はそれらのタイバーに沿って移動可能になっている。各タイバー２Ａ〜２Ｄの両端部には雄ねじが形成されており、それらの固定盤６側の雄ねじにはタイバーナット１４がねじ込まれ、型締ハウジング８側の雄ねじには型厚調節装置１２に形成された雌ねじがねじ込まれている。
【００１５】
本実施形態の型締装置１も、４本のタイバー２Ａ〜２Ｄのそれぞれに、タイバーの所定の長さ領域を加熱するヒータ３Ａ〜３Ｄと、その加熱領域の温度を検知するセンサー４Ａ〜４Ｄとが備えられている。それらのヒータ３Ａ〜３Ｄおよびセンサー４Ａ〜４Ｄは、タイバーの加熱領域の温度を制御する温調計５に接続されている。温調計５は、型締装置１及び射出成形機２０の少なくとも一方を支持するベッド３０内に収容されている（図示した例では、ベッド３０は型締装置１及び射出成形機２０の両方を支持している）。また、温調計５は、型締装置１及び射出成形機２０を制御するコントローラ１３に接続されている。
【００１６】
図２は、図１に示したコントローラの表示パネルに表示される温度設定画面を示す図である。図２に示すように、本実施形態における温度設定画面９には、制御ＯＮ−ＯＦＦスイッチ９ｅ、各タイバー２Ａ〜２Ｄの温度設定値９ａ，９ｂ，９ｃ，９ｄ、温度測定値９ａｍ，９ｂｍ，９ｃｍ，９ｄｍが表示される。ユーザーによるタイバーの２Ａ〜２Ｄの温度設定は、例えば、コントローラ１３の表示パネル（不図示）に温度設定画面９を表示させ、コントローラ１３の入力キー（不図示）によって温度設定値９ａ〜９ｄの各欄にカーソルを合わせて、設定する温度の数値を入力することによって行うことができる。
【００１７】
なお、図２では、温度設定値９ａ〜９ｄが初期温度として４０．０℃に設定されている例を示しているが、温度設定値９ａ〜９ｄの初期温度はこれに限られない。
【００１８】
本実施形態の型締装置１は、これらの構成によって、各々のタイバーの加熱領域の温度を個別に調節することができる。その結果、タイバー２Ａ〜２Ｄは、加熱領域の温度に応じた熱膨張によって自身の有効長が変化する。このようにしてタイバー２Ａ〜２Ｄの有効長を個別に調節することにより、型閉め動作を行って型締力を発生させたときの各タイバー２Ａ〜２Ｄの伸び量のバランス、引いては金型６ａ，７ａに作用する型締力のバランスを調整することができる。その結果として、厚さが均一に分布した成形品を得ることができる。
【００１９】
本実施形態の型締装置１によれば、以下の利点を得ることができる。
（１）温調計５がベッド３０内に収容されているため、温調計５のための設置場所を別途に確保する必要がない。
（２）通常の成形条件設定とタイバー有効長調節のための温度設定との両方とも、型締装置１及び射出成形機２０を制御するコントローラ１３によって共通して行うことができるため、それらの操作性が向上している。
（３）温調計５が射出成形機のコントローラ１３と組み合わされているため、装置全体を安価に構成することができる。
（４）温度設定条件を、その他の成形条件と一緒にコントローラ１３の記憶部に記憶させることができる。
（５）温度異常等が発生したことを示すアラームや設定変更の履歴についても同様に、コントローラ１３の記憶部に記憶させることができる。
（６）温度異常などが発生した場合には、温調計５からコントローラ１３に停止信号を送信することによって射出成形機２０及び型締装置１の動作を停止するなどの対応をとることができる。また、そのような事態が生じたことの履歴をコントローラ１３の記憶部に残すことができる。
【００２０】
このように、本実施形態の型締装置１によれば、安価な構成で、かつ成形品の厚さ調節のための操作性が向上した射出成形機の型締装置１を提供することができる。
【００２１】
以下、本実施形態の型締装置１を備えた射出成形機でＤＶＤ（ディジタル・バーサタイル・ディスク）を製造する場合を例に挙げて、本実施形態におけるタイバーの有効長調節動作を具体的に説明する。
【００２２】
通常、タイバーの有効長の調節が必要になるのは、射出成形機の工場での試運転が完了してユーザーに納入された後、実際に金型を搭載してＤＶＤの成形を行った際に生じた、ＤＶＤの面内の板厚のばらつきを小さくしたい場合である。例えば、金型６ａ，７ａを図１（ａ）のＡ−Ａ方向に見たときの、金型６ａ，７ａ内に成形したＤＶＤのタイバー２Ａ側の部分の板厚が薄いという不具合が発生したとする。この場合は、型締力発生時におけるタイバー２Ａの伸び量を少なくすることで、金型６ａ，７ａのタイバー２Ａに近い部分の締付け力を小さくして成形品のその部分の板厚を厚くすることができるため、上記のような不具合を解消することができる。
【００２３】
以下、本実施形態におけるタイバー有効長の調節動作をより詳しく説明する。以下の説明において、αは線膨張係数、Ｈはヒータによって温調されるタイバーの長さ範囲、Ｔはヒータの初期設定温度、ΔＴはヒータの設定温度変化量、ΔＬは初期設定温度での型締力発生時のタイバー伸び量を意味している。なお、以下では、タイバー２Ａについて有効長の調節を行う場合を例に挙げて説明する。
（１）タイバー２Ａの温度設定値９ａをＴからΔＴだけ上げる。
（２）温度測定値９ａｍが温度設定付近で安定したところで、タイバー２Ａは熱膨張によりα・Ｈ・ΔＴだけ伸びる。
（３）タイバー２Ａの部分の型締力は、α・Ｈ・ΔＴ／ΔＬの割合だけ低下する。
（４）ＤＶＤの板厚は、型締力低下量に正比例して厚くなるわけではないが、型締力が低下すると厚くなる方向に変化する。
（５）成形されたＤＶＤの厚みを測定しながら、板厚のばらつきが基準値を満足するように、（１）〜（４）の工程を繰り返す。
【００２４】
以上により、板厚のばらつきが低減されたＤＶＤを成形することができる。
【００２５】
［第２の実施形態］
図３は、本発明の第２の実施形態に係る型締装置のコントローラにおける表示パネルに表示される板厚調整量設定画面を示す図である。
【００２６】
上述した従来技術及び第１の実施形態の型締装置では、調節を行う直接の対象が成形品の厚さ分布であるにもかかわらず、ユーザーはその板厚変化量に対応するタイバーの温度変化量を推定してそれを入力する必要があった。これに対して本実施形態では、板厚変化量を直接入力することができるようになっている。
【００２７】
図３に示すように、本実施形態においてコントローラ１３の表示パネル（不図示）に表示される板厚変化量設定画面１０には、制御ＯＮ−ＯＦＦスイッチ１０ｅ、各タイバー２Ａ〜２Ｄの温度設定値１０ａｅ，１０ｂｅ，１０ｃｅ，１０ｄｅ、温度測定値１０ａｍ，１０ｂｍ，１０ｃｍ，１０ｄｍ、および板厚変化量設定値１０ａ，１０ｂ，１０ｃ，１０ｄが表示されるようになっている。ユーザーによる板厚変化量の設定は、例えば、コントローラ１３の表示パネル（不図示）に板厚調整量設定画面１０を表示させ、コントローラ１３の入力キー（不図示）によって板厚調整量設定値１０ａ〜１０ｄの各欄にカーソルを合わせて、設定する板厚変化量の数値を入力することによって行うことができる。
【００２８】
なお、図３では、温度設定値１０ａｅ〜１０ｄｅが初期温度として４０．０℃に設定されている例を示しているが、温度設定値１０ａｅ〜１０ｄｅの初期温度はこれに限られない。
【００２９】
また、本実施形態における型締装置及び射出成形機のその他の構成は図１に示した構成と同じであるので、以下においても、それらについては図１に示した符号を用いて説明する。
【００３０】
図４は、成形品の板厚変化量とタイバー温度変化量との関係を示すグラフである。図４のグラフは、あるＤＶＤ用金型を用いて、タイバーの温度を順次変化させながら実際にＤＶＤを射出成形することによって得られたタイバー温度変化量ΔＴと板厚変化量Δｔとの関係を示す実測データと、その実測データを近似して得られた近似直線（Δｔ’＝０．３５ΔＴ’）とを示している。
【００３１】
上記の近似直線を示す式（Δｔ’＝０．３５ΔＴ’）は、コントローラ１３の記憶部（不図示）に記憶されている。コントローラ１３は、上記のようにして板厚変化量Δｔが入力されると、その値に対応するタイバー温度変化量ΔＴを上記の近似直線式に基づいて演算し、温度設定値１０ａｅ〜１０ｄｅをその演算によって得られた値に設定する。
【００３２】
このように、本実施形態では、ユーザーが所望の板厚変化量を設定することによって、その板厚変化量に対応するタイバーの温度変化量がコントローラ１３によって自動的に設定される。そのため、ユーザーは所望の板厚変化量に対応するタイバーの温度変化量を推定する作業が不要になるため、上述した従来技術及び第１の実施形態に比べて、成形品の厚さ調節のための操作性をより向上させることができる。
【００３３】
以下、本実施形態におけるタイバーの有効長調節動作をより詳しく説明する。以下の説明において、αは線膨張係数、Ｈはヒータによって温調されるタイバーの長さ範囲、Ｔはヒータの初期設定温度、Δｔは板厚変化量、ΔＴはタイバー温度変化量、ΔＬは初期設定温度での型締力発生時のタイバー伸び量を意味している。なお、以下では、タイバー２Ａについて有効長調節を行う場合を例に挙げて説明する。
（１）タイバー２Ａの板厚調整量設定値１０ａにΔｔを入力する。
（２）コントローラ１３は、図４に示す板厚変化量Δｔとタイバー温度変化量ΔＴとの関係式（Δｔ’＝０．３５ΔＴ’）に基づいて演算を行い、板厚調整量設定値１０ａに入力されたΔｔに相当するタイバー温度変化量ΔＴを決定し、初期設定温度ＴにΔＴを加算した値を推定温度設定値１０ａｅとして自動的に設定する。
（３）温度測定値１０ａｍが安定したところで、タイバー２Ａは熱膨張によりα・Ｈ・ΔＴだけ伸びる。
（４）タイバー２Ａの部分の型締力は、α・Ｈ・ΔＴ／ΔＬの割合だけ低下する。
（５）ＤＶＤの板厚は、型締力低下量に正比例して厚くなるわけではないが、型締力が低下すると厚くなる方向に変化する。
（６）成形されたＤＶＤの板厚を測定しながら、板厚のばらつきが基準値を満足するように（１）〜（５）の工程を繰り返す。
【００３４】
以上により、板厚のばらつきが低減されたＤＶＤを成形することができる。
【図面の簡単な説明】
【００３５】
【図１】本発明の第１の実施形態に係る型締装置を示す概略構成図である。
【図２】図１に示したコントローラの表示パネルに表示される温度設定画面を示す図である。
【図３】本発明の第２の実施形態に係る型締装置のコントローラにおける表示パネルに表示される板厚調整量設定画面を示す図である。
【図４】成形品の板厚変化量とタイバー温度変化量との関係を示すグラフである。
【図５】従来の射出成形機の型締装置を示す概略構成図である。
【符号の説明】
【００３６】
１  型締装置
２Ａ，２Ｂ，２Ｃ，２Ｄ  タイバー
３Ａ，３Ｂ，３Ｃ，３Ｄ  ヒータ
４Ａ，４Ｂ，４Ｃ，４Ｄ  センサー
５  温調計
６  固定盤
６ａ  固定側金型
７  可動盤
７ａ  可動側金型
８  型締ハウジング
９  温度設定画面
９ａ，９ｂ，９ｃ，９ｄ，１０ａｅ，１０ｂｅ，１０ｃｅ，１０ｄｅ  温度設定値
９ａｍ，９ｂｍ，９ｃｍ，９ｄｍ，１０ａｍ，１０ｂｍ，１０ｃｍ，１０ｄｍ  温度測定値
９ｅ，１０ｅ  ＯＮ−ＯＦＦスイッチ
１０  板厚調整量設定画面
１０ａ，１０，１０，１０  板厚調整量設定値
１１  押圧機構
１２  型厚調整装置
１３  コントローラ
１４  タイバーナット
２０  射出成形機
３０  ベッド
【図１】
2009154454.tif 000003
【図２】
2009154454.tif 000004
【図３】
2009154454.tif 000005
【図４】
2009154454.tif 000006
【図５】
2009154454.tif 000007